(57)【要約】製品（Ｐ）の輸送、陳列及び小出しをすべて同一のカートンから行うことができる密封カートン（１０、８１０、１０１０）が提供されている。密封カートンは、製品を詰め込まれ、密封され、その目的地へ輸送される。カートンは、切り取り線（５０、８５０、１０５０）に沿って半分に「割られる」ことができ、後側半割体は下向きにヒンジ連結され、それにより、カートンはその密封端部を下にして直立にセットされ、一方の半割体が外側を向き、他方の半割体が内側を向く。製品を小出しするのに十分な大きさの取り外し式ディスペンサ（８６、８８、８８６、８８８、１０８６、１０８８）をカートンの下方前側半割体から取り除く。前側半割体の製品が空になると、それを切り取り線の位置で後側半割体から切り離すか、又は棚の空隙充填物として残すかのいずれにすることもできる。次に、カートンをその底部で１８０度回転させて、製品を小出しするのに十分な大きさの取り外し式ディスペンサをカートンの後側半割体の下方端部から取り除く。
2007536168.tif 000002
【特許請求の範囲】
【請求項１】
複数の容器を２列にして収容する、２つの閉鎖端部を有するカートンであって、
上部パネル、２つの底部パネル、及び２つの折り曲げ可能に取り付けられている隣接する側部パネルを備え、
該カートンの各端部は、前記上部パネルに折り曲げ可能に取り付けられている上端部フラップ、前記底部パネルの各々に折り曲げ可能に取り付けられている底端部フラップ、及び前記側部パネルの各々に折り曲げ可能に取り付けられている側端部フラップを有し、さらに
前記上端部フラップ、前記底端部フラップ及び前記側端部フラップを合わせて取り付ける手段であって、それにより、該カートンの前記端部の各々を閉鎖することができる、手段と、
該カートンの前記端部の各々のほぼ中間で、前記上部パネル、前記側部パネル及び前記底部パネルを通って延在する切り取り線であって、該切り取り線を前記上部パネル及び前記側部パネルを通る部分で引き裂いたとき、該カートンは、前記底部パネルを通って延在する前記切り取り線に沿って折り曲げ可能であり、それにより、包囲カートンの２つの半割体を形成するようにした、切り取り線と、
を備えるカートン。
【請求項２】
前記上部パネル内に指穴が設けられ、それにより、前記切り取り線を開きやすくしている、請求項１に記載のカートン。
【請求項３】
中央仕切りをさらに備え、それにより、前記包囲カートン内の２列を分離するようにした、請求項１に記載のカートン。
【請求項４】
前記中央仕切りは、２つの仕切りパネルを有し、それにより、前記カートンを補強するようにした、請求項３に記載のカートン。
【請求項５】
前記２つのパネルは、折り線の周りで折り曲げ可能である、請求項４に記載のカートン。
【請求項６】
前記中央仕切りは、接着剤を受け取ることができる少なくとも１つの接着パネルを有する、請求項４に記載のカートン。
【請求項７】
前記底部パネルは、前記切り取り線に沿って切り離し可能であり、それにより、前記カートンの前記２つの半割体を切り離すことができる、請求項１に記載のカートン。
【請求項８】
前記切り取り線は、刻み目、ニック、折り目、或いは刻み目、ニック又は折り目の任意の組み合わせを有する、請求項１に記載のカートン。
【請求項９】
前記カートンの各端部で前記上部パネル内に形成されるディスペンサをさらに備える、請求項１に記載のカートン。
【請求項１０】
前記ディスペンサの各々は、少なくとも１つの取り外し可能なパネルを有する、請求項７に記載のカートン。
【請求項１１】
前記ディスペンサの各々は、ディスペンサ切り取り線で前記カートンから取り外し可能である、請求項８に記載のカートン。
【請求項１２】
前記ディスペンサ切り取り線は、前記上部パネルを通り、且つ前記側部パネルの各々を通って延在する、請求項１１に記載のカートン。
【請求項１３】
前記上部パネルを通って延在する前記ディスペンサ切り取り線は、上側ディスペンサ切り取り線及び下側ディスペンサ切り取り線を有し、これらの切り取り線は、前記容器の各々を取り出すことができる最短距離だけ離れている、請求項１２に記載のカートン。
【請求項１４】
前記下側ディスペンサ切り取り線は、前記上端部フラップの位置の折り線とほぼ一致している、請求項１３に記載のカートン。
【請求項１５】
前記下側ディスペンサ切り取り線の一部分が、前記上部パネルの各端部で上方に延出し、それにより、前記カートンを補強する残留部分を生じる、請求項１４に記載のカートン。
【請求項１６】
前記残留部分は、前記ディスペンサからの前記容器の取り出しの邪魔にならない、請求項１５に記載のカートン。
【請求項１７】
前記下側ディスペンサ切り取り線は、前記上端部フラップの位置の折り線から間隔を置いた位置にある、請求項１３に記載のカートン。
【請求項１８】
前記ディスペンサの各々は、前記包囲カートンから個別に取り外し可能なディスペンサ半割体を有する、請求項９に記載のカートン。
【請求項１９】
前記ディスペンサ半割体は、前記ディスペンサ半割体の各々のフラップを前記カートン内に押し込み、それにより、該ディスペンサ半割体の各々の取り外しを容易にすることができる貫通穴を前記上部パネルの中央付近に有する、請求項１３に記載のカートン。
【請求項２０】
中央仕切りをさらに備え、それにより、前記包囲カートン内の２列を分離するようにした、請求項１８に記載のカートン。
【請求項２１】
前記フラップは、前記中央仕切りによって生じる空間内に収容可能である、請求項２０に記載のカートン。
【請求項２２】
前記カートンは、前記底部パネルの位置で折り曲げ可能であり、それにより、前記底部パネルを隣接させた状態で前側半割体及び後側半割体を生じることができる、請求項１に記載のカートン。
【請求項２３】
複数の容器を収容する、２つの閉鎖端部を有する包囲カートンであって、
上部パネル、２つの底部パネル、及び２つの折り曲げ可能に取り付けられている隣接する側部パネルを備え、
該カートンの各端部は、前記上部パネルに折り曲げ可能に取り付けられている上端部フラップ、前記底部パネルの一方に折り曲げ可能に取り付けられている底端部フラップ、及び前記側部パネルの各々に折り曲げ可能に取り付けられている側端部フラップを有し、さらに
前記上端部フラップ、前記底端部フラップ及び前記側端部フラップを合わせて取り付ける手段であって、それにより、該カートンの前記端部の各々を閉鎖することができる、手段と、
該カートンの前記端部の各々のほぼ中間で、前記上部パネル、前記側部パネル及び前記底部パネルを通って延在する切り取り線であって、該切り取り線を前記上部パネル及び前記側部パネルを通る部分で引き裂いたとき、該カートンは、前記底部パネルを通って延在する該切り取り線に沿って折り曲げ可能であり、それにより、該包囲カートンの２つの半割体を形成するようにした、切り取り線と、
を備える包囲カートン。
【請求項２４】
前記カートンは、前記底部パネルの位置で折り曲げ可能であり、それにより、該底部パネルを隣接させた状態で並列形半割体を生じることができる、請求項２３に記載の包囲カートン。
【請求項２５】
前記上部パネル内に指穴が設けられ、それにより、前記切り取り線を開きやすくしている、請求項２３に記載の包囲カートン。
【請求項２６】
前記底部パネルは、前記切り取り線に沿って切り離し可能であり、それにより、前記カートンの前記２つの半割体を切り離すことができる、請求項２３に記載の包囲カートン。
【請求項２７】
前記切り取り線は、刻み目、ニック、折り目、或いは刻み目、ニック又は折り目の任意の組み合わせを有する、請求項２３に記載の包囲カートン。
【請求項２８】
前記カートンの各端部で前記側部パネルの一方の内部に形成されるディスペンサをさらに備える、請求項２３に記載の包囲カートン。
【請求項２９】
前記ディスペンサの各々は、少なくとも１つの取り外し可能なパネルを有する、請求項２８に記載の包囲カートン。
【請求項３０】
前記ディスペンサの各々は、ディスペンサ切り取り線で前記カートンから取り外し可能である、請求項２９に記載の包囲カートン。
【請求項３１】
前記ディスペンサ切り取り線は、前記側部パネルの一方、前記上部パネルを通り、また前記底部パネルを通って延在する、請求項３０に記載の包囲カートン。
【請求項３２】
前記側部パネルを通って延在する前記ディスペンサ切り取り線は、上側ディスペンサ切り取り線及び下側ディスペンサ切り取り線を有し、これらの切り取り線は、前記容器の各々を取り出すことができる最短距離だけ離れている、請求項３１に記載の包囲カートン。
【請求項３３】
前記下側ディスペンサ切り取り線は、前記上端部フラップの位置の折り線とほぼ一致している、請求項３２に記載の包囲カートン。
【請求項３４】
前記下側ディスペンサ切り取り線の一部分が、前記上部パネルの各端部で上方に延出し、それにより、前記カートンを補強する残留部分を生じる、請求項３３に記載の包囲カートン。
【請求項３５】
前記残留部分は、前記ディスペンサからの前記容器の取り出しの邪魔にならない、請求項３４に記載の包囲カートン。
【請求項３６】
前記下側ディスペンサ切り取り線は、前記上端部フラップの位置の折り線から間隔を置いた位置にある、請求項３２に記載の包囲カートン。
【請求項３７】
前記上部パネル内及び前記底部パネル内の前記ディスペンサ切り取り線は、前記カートン内に押し込まれることができ、それにより、前記ディスペンサの各々の取り外しを容易にする、請求項３１に記載の包囲カートン。
【請求項３８】
前記上部パネル内及び前記底部パネル内の前記ディスペンサ切り取り線は、切り欠き部を有し、それにより、前記ディスペンサの取り外しを容易にした、請求項３１に記載の包囲カートン。
【請求項３９】
複数の容器を収容する、２つの閉鎖端部を有するカートンであって、
上部パネル、底部パネル、及び２つの折り曲げ可能に取り付けられている隣接する側部パネルを備え、
該カートンの各端部は、前記上部パネルに折り曲げ可能に取り付けられている上端部フラップ、及び前記底部パネルに折り曲げ可能に取り付けられている底端部フラップを有し、さらに
前記上端部フラップ及び前記底端部フラップを合わせて取り付ける手段であって、それにより、該カートンの前記端部の各々を閉鎖することができる、手段と、
該カートンの前記端部の各々のほぼ中間で、前記上部パネル、前記側部パネル及び前記底部パネルを通って延在する切り取り線であって、該切り取り線を前記上部パネル及び前記側部パネルを通る部分で引き裂いたとき、該カートンは、前記底部パネルを通って延在する該切り取り線に沿って折り曲げ可能であり、それにより、包囲カートンの２つの半割体を形成するようにした、切り取り線と、
を備えるカートン。
【請求項４０】
前記底部パネルによって受け取られ、それにより、前記カートンを閉鎖することができる接着パネルを前記２つの側部パネルの一方に備える、請求項３９に記載のカートン。
【請求項４１】
前記カートンの各端部は、各側部パネルに折り曲げ可能に取り付けられている側端部フラップを有する、請求項３９に記載のカートン。
【請求項４２】
前記側端部フラップは、前記上端部フラップ及び前記底端部フラップと合わせて閉鎖され、それにより、前記カートンの各端部を閉鎖することができる、請求項４１に記載のカートン。
【請求項４３】
複数の容器を少なくとも２列にして収容する、２つの閉鎖端部を有するカートンであって、
上部パネル、２つの底部パネル、及び２つの折り曲げ可能に取り付けられている隣接する側部パネルを備え、
該カートンの各端部は、前記上部パネルに折り曲げ可能に取り付けられている上端部フラップ、前記底部パネルの各々に折り曲げ可能に取り付けられている底端部フラップ、及び前記側部パネルの各々に折り曲げ可能に取り付けられている側端部フラップを有し、さらに
前記上端部フラップ、前記底端部フラップ及び前記側端部フラップを合わせて取り付ける手段であって、それにより、該カートンの前記端部の各々を閉鎖することができる、手段と、
前記上部パネル、前記側部パネル及び前記底部パネルを通って延在する切り取り線であって、該切り取り線を前記上部パネル及び前記側部パネルを通る部分で引き裂いたとき、該カートンは、前記底部パネルを通って延在する該切り取り線に沿って折り曲げ可能であり、それにより、包囲カートンの２つの部分を形成するようにした、切り取り線と、
を備えるカートン。
【請求項４４】
前記切り取り線は、前記カートンの前記端部の各々のほぼ中間に延在する、請求項４３に記載のカートン。
【請求項４５】
前記上部パネル内に指穴が設けられ、それにより、前記切り取り線を開きやすくしており、また、中央仕切りが、前記密封カートン内の前記列を分離する、請求項４３又は４４に記載のカートン。
【請求項４６】
前記底部パネルは、前記切り取り線に沿って切り離し可能であり、それにより、前記カートンの前記２つの部分を切り離すことができ、また、前記切り取り線は、刻み目、ニック、折り目、或いは刻み目、ニック又は折り目の任意の組み合わせを有する、請求項４３〜４５のいずれか１項に記載のカートン。
【請求項４７】
前記カートンの各端部で前記上部パネル内に形成されるディスペンサをさらに備える、請求項４３〜４６のいずれか１項に記載のカートン。
【請求項４８】
前記カートンは、前記底部パネルの位置で折り曲げ可能であり、それにより、前側部分及び後側部分を生じることができる、請求項４３〜４７のいずれか１項に記載のカートン。
【請求項４９】
複数の容器を収容する、２つの閉鎖端部を有する包囲カートンであって、
上部パネル、２つの底部パネル、及び２つの折り曲げ可能に取り付けられている隣接する側部パネルを備え、
該カートンの各端部は、前記上部パネルに折り曲げ可能に取り付けられている上端部フラップ、前記底部パネルの一方に折り曲げ可能に取り付けられている底端部フラップ、及び前記側部パネルの各々に折り曲げ可能に取り付けられている側端部フラップを有し、さらに
前記上端部フラップ、前記底端部フラップ及び前記側端部フラップを合わせて取り付ける手段であって、それにより、該カートンの前記端部の各々を閉鎖することができる、手段と、
該カートンの前記端部の各々の間で、前記上部パネル、前記側部パネル及び前記底部パネルを通って延在する切り取り線と、
を備える包囲カートン。
【請求項５０】
前記切り取り線は、前記カートンの前記端部の各々のほぼ中間に延在する、請求項４９に記載の包囲カートン。
【請求項５１】
前記切り取り線を前記上部パネル及び前記側部パネルを通る部分で引き裂いたとき、前記カートンは、前記底部パネルを通って延在する前記切り取り線に沿って折り曲げ可能であり、それにより、前記包囲カートンの２つの部分を形成するようにした、請求項４９又は５０に記載の包囲カートン。
【請求項５２】
前記カートンは、前記底部パネルの位置で折り曲げ可能であり、それにより、該底部パネルを隣接させた状態で並列部分を生じることができ、また、前記上部パネル内に指穴が設けられ、それにより、前記切り取り線を開きやすくしている、請求項４９〜５１のいずれか１項に記載の包囲カートン。
【請求項５３】
前記底部パネルは、前記切り取り線に沿って切り離し可能であり、それにより、前記カートンの前記２つの部分を切り離すことができ、また、前記切り取り線は、刻み目、ニック、折り目、或いは刻み目、ニック又は折り目の任意の組み合わせを有する、請求項４９〜５２のいずれか１項に記載の包囲カートン。
【請求項５４】
前記カートンの各端部で前記側部パネルの一方の内部に形成されるディスペンサをさらに備える、請求項４９〜５３のいずれか１項に記載の包囲カートン。
【請求項５５】
複数の容器を収容する、２つの閉鎖端部を有するカートンであって、
上部パネル、底部パネル、及び２つの折り曲げ可能に取り付けられている隣接する側部パネルを備え、
該カートンの各端部は、前記上部パネルに折り曲げ可能に取り付けられている上端部フラップ、及び前記底部パネルに折り曲げ可能に取り付けられている底端部フラップを有し、さらに
前記上端部フラップ及び前記底端部フラップを合わせて取り付ける手段であって、それにより、該カートンの前記端部の各々を閉鎖することができる、手段と、
該カートンの前記端部の各々の間で、前記上部パネル、前記側部パネル及び前記底部パネルを通って延在する切り取り線と、
を備えるカートン。
【請求項５６】
前記切り取り線は、前記カートンの前記端部の各々のほぼ中間に延在する、請求項５５に記載のカートン。
【請求項５７】
前記切り取り線を前記上部パネル及び前記側部パネルを通る部分で引き裂いたとき、前記カートンは、前記底部パネルを通って延在する前記切り取り線に沿って折り曲げ可能であり、それにより、包囲カートンの２つの部分を形成するようにした、請求項５５又は５６に記載のカートン。
【請求項５８】
前記底部パネルによって受け取られ、それにより、前記カートンを閉鎖することができる接着パネルを前記２つの側部パネルの一方に備える、請求項５５〜５７のいずれか１項に記載のカートン。
【請求項５９】
前記カートンの各端部は、各側部パネルに折り曲げ可能に取り付けられている側端部フラップを有し、該側端部フラップは、前記上端部フラップ及び前記底端部フラップと合わせて閉鎖され、それにより、前記カートンの各端部を閉鎖することができる、請求項５５〜５８のいずれか１項に記載のカートン。
【発明の詳細な説明】
【技術分野】
【０００１】
［発明の分野］
本発明は、容器を収容するための板紙カートンであって、独特な輸送、陳列及び小出し特徴を有する板紙カートンに関する。本カートンは、小売り環境において容器の輸送、陳列及び小出しを、すべて同一のカートンで行うことができるようにする。
【背景技術】
【０００２】
［背景］
小売り製品は一般的に、箱、缶、カートン等の容器に包装されており、それらの容器は陳列及び販売用に小売店の棚に置かれる。小売店の棚に到達するために、製造された製品は輸送用に包装され、輸送され、包装から出され、配置され、棚の上に維持される。製造中に製品が小売り用パッケージに入れて包装されてから、これらの包装製品はより大型の輸送容器内に個別に積み込まれて、小売業者へ輸送される。小売業者は次に、包装製品を輸送容器から出して、個装製品を棚の上に置く。消費者が最初の２〜３個の包装製品を棚からとった後、小売業者は棚の上の残った包装製品を移動させ、それにより、整理されて均一に分散した陳列を行わなければならない。加えて、小売業者は適時に包装製品を後から前へ交替させ、それにより、包装製品が確実にその保証期限を超えないようにしなければならない。このような取り出し、陳列(fronting)及び交替は、輸送容器からゴミを生じ、また時間及び労力の点で高コストである。既知の従来技術は、個装製品の輸送、陳列及び小出しを同一カートンから行うのに使用できる単一カートンを提供することができなかった。
【発明の開示】
【課題を解決するための手段】
【０００３】
［概要］
簡単に説明すると、本カートンは、半分に分離可能であり、カートンの各半割体の下方前側部分にディスペンサが設けられる。本カートンはほぼ矩形であり、底部、上部、２つの側部及び２つの端部を有する。カートンは、パネル及びフラップを有するブランクから折り曲げ可能に構成される。包装製品は、各半割体の下方パネル上のディスペンサを通してカートンから取り出される。カートンは好ましくは、板紙で形成されるが、厚紙等の他の材料や、プラスチック、複合物又は金属等の非繊維系の比較的硬い折り曲げ可能な材料を使用することができる。
【０００４】
製品は、本カートンのいずれか一方、又は両方の端部に積み込まれ、小売店へ輸送されることができる。小売業者は、好ましくはカートンの密封端部から半分の距離に位置する切り取り線を形成する一連の刻み目でカートンを半分に「割る」、すなわち、ちぎることにより、カートンを開くことができる。一連の刻み目に沿った指穴により、カートンを割ることを助けることができる。
【０００５】
次に、カートンの密封端部を小売店の棚等の表面の上に載せて、カートンの前側半割体が外側に向くようにして、カートンを直立の「向きにする」ことができる。次に、小売業者はカートンの下方前側小出し部分を取り除き、それにより、製品を露出させ、また製品を取り出すのに十分な大きさの開口を生じる。カートンの前側半割体の製品が空になったら、小売業者がカートンを回転させ、それにより、カートンの後側半割体を外側に向ける。カートンの後側半割体の下方小出し部分を取り除き、カートンの後側半割体内の製品を、製品を取り出すのに十分な大きさの開口を通して露出させる。さらに、前側半割体の製品が空になった後、前側半割体をカートンの後側半割体から切り離して廃棄するか、又は取り付けられたままにして、カートン全体を逆向きにし、それにより、カートンの後側半割体を外側に向けることができるようにするかのいずれにすることもできる。カートンの前側半割体を取り付けられたままにする場合、後側半割体から小出しする間、前側半割体は小売店の棚の空隙充填材として機能することができる。空になったとき、カートン全体を廃棄する。
【０００６】
本明細書に詳述したような機能を実施するカートンは、より容易な小出しを行うように製品の分離を行うため、且つ／又は追加的な構造支持を行うために、中央仕切りを備えることができるブランクから作製される。図１の実施形態に示されているブランク及びカートンは、２列を含むが、任意数の列を含むことができるであろう。中央仕切りによって製品を分離することで、内部に積み重ねられている製品を人の指が掴むことができることにより、より容易な小出しが可能になる。カートンの下方前側部分の開口は、カートンの下方端部内に位置するので、取り出された製品より上方のすべての製品が重力によってカートンの底部の方に落下するようにして、製品を取り出すことができる。この重力小出しにより、製品すべてがカートンの各半割体から完全に取り出されるまで、次の製品の取り出しが可能になるといった具合に続く。
【０００７】
カートンブランクはまた、積み重ね、輸送又は陳列の際の完全性のために追加強度が必要である領域でカートンに追加ストリップを付着させて形成されてもよい。強度を与えるそのような追加ストリップは、米国特許出願第０９／９７１，４６９号及び第０９／５５９，７０４号に記載されており、これらの出願は現時点で係属中であり、本譲受人が共通に所有している。
【０００８】
本カートンは、前側パネル及び後側パネルの端部分を連続的に引きちぎって取り除くことにより、カートンの各端部内に形成されるディスペンサを有する。通常、外側に面するカートンの半割体の下方部分が、たとえば小売店の棚の上で、小出し用に取り除かれる。下方部分のディスペンサの各々を分割線の位置で半分にさらに分割することができ、それにより、一度に１つのカートン半割体の各列から製品を小出しすることができる。その後、下方部分のディスペンサの他方の半分を取り除き、それにより、カートン半割体の他方列の小出しを行うことができる。これらのディスペンサ半割部分は、分割線から間隔を置いて追加の切り取り線を有することができ、これらの切り取り線を指又は他の物でカートン内へ打ち込み、それにより、下方小出し部分を開き始めることができる。各下方部分ディスペンサは、前側又は後側パネル内の下方部分ディスペンサ切り込み線に接続している半円形の切り込み線等の、側部パネル内の切り取り又は切り込み線を有することができ、それにより、小出し用に製品をより容易に掴むために人の指又は他の物をはめ込むことができる隙間を設けることができる。
【０００９】
本カートン構造のさらなる利益は、各カートン半割体の上部が、小出し中に開放したままであることである。消費者はカートン半割体から製品を小出しした後、何らかの理由でその小出しされた製品を欲しくないと判断して、カートンを割ることによって形成される上部開口に入れることにより、その不要製品をカートンに戻すことができる。カートン半割体に戻された製品は結果的に重力で下方部分ディスペンサへ送られて、後に小出しされることができる。この開放上部はまた、所望時に小売業者が製品をカートン半割体内に補充するために容易に利用することができるであろう。
【００１０】
本カートンの代替実施形態は、仕切りパネルを持たない単一列ディスペンサ、及び異なった寸法の製品に対応することができるカートンを含む。カートンはまた、前側及び後側半割体の代わりに、並列式ディスペンサを備えることができる。この実施形態では、ディスペンサの両方を同時に開くことができ、また互いに切り離して、空の方を廃棄することができる。
【００１１】
本発明の上記の目的及び他の目的、特徴及び利点は、添付の図面とともに以下の明細書を読むことにより、より明らかになるであろう。
【発明を実施するための最良の形態】
【００１２】
［発明の詳細な説明］
本発明のブランク１０の理解及び説明を容易にするために、本明細書に記載する構成要素及び番号は、カートン及びブランク１０の半割部分を区別するために、「上方」、「下方」、「上部」、「底部」、「前側」及び「後側」という用語を使用する。しかしながら、これらの規定は、単に本記載の説明及び理解を容易にするために含まれているだけであって、決して制限的ではない。「上方」、「下方」等としてのパネルの説明は、「第１」、「第２」等と呼ぶこともできる。たとえば、図１において、上部パネル２０は、ブランク１０の上方部分内にあるものとして示され、上部パネル６０は、ブランク１０の下方部分にあるものとして示されている。当業者であれば、カートンの向きを逆にすれば、上部パネル６０がブランク１０の上方部分になり、上部パネル２０が下方部分になり得ることを理解できるであろう。さらに、カートンを形成したとき、本明細書の説明では、上部パネル２０がカートンの前側半割体の壁を形成し、上部パネル６０がカートンの後側半割体の壁を形成する。実際にはこの向きを容易に逆にして、上部６０が前側半割体の一部として機能し、上部パネル２０がカートンの後側半割体の一部として機能するようにして使用することができる。
【００１３】
本発明は主に、個別に小出しされる、食品を収容しているような製品Ｐの容器で使用されることを目的としている。図１に示されているように、カートンを形成するブランク１０は、板紙等の折り曲げ可能な材料シートから形成される。ブランク１０は、上端部に底部フラップ１２を有し、底部フラップ１２は、折り線１４で側部パネル１６に連結され、側部パネル１６は、折り線１８で上部パネル２０に連結されている。上部パネル２０は、折り線２２で側部パネル２４に連結され、側部パネル２４は、折り線２６で底部フラップ２８に連結されている。底部フラップ２８は、折り線３０で仕切りパネル３２に連結され、仕切りパネル３２は、折り線３４で接着パネル３６に連結されている。接着パネル３６は、折り線３８で仕切りパネル４０に連結され、仕切りパネル４０は、折り線４２で接着パネル４４に連結されている。切り取り線５０に沿った仕切りパネル３２、４０、７２及び８０の交点に、アクセスポート４６が切られる、又は他の方法で形成されている。上部パネル２０及び６０に指穴４８が形成されて、切り取り線５０に沿って配置されている。カートンを割り開いて輸送／保管形態から陳列及び／又は小出し形態に変えるように切り取り線５０の切り取りを開始するために、指穴４８に人の指又は他の物をはめ込むことができる。アクセスポート４６は、カートンを割り開き、それにより、カートンの前側半割体を後側半割体から分離するために、指穴４８にアクセスするための空間をカートン内部に与える。アクセスポート４６及び指穴４８がそれぞれ楕円形及び円形に示されているが、それらは、切り取り線５０を切り離し、それにより、カートンを２つの半割体に分離することができる任意の他の所望形状に形成されることができるであろう。代替として、指穴４８は、打ち抜くか、他の方法で切り離し、それにより、切り取り線５０を切り離すために指穴４８にアクセスできるようにするフラップ（図示せず）で覆われることができる。
【００１４】
ブランク１０の下方端部で、底部フラップ５２が、折り線５４で側部パネル５６に連結され、側部パネル５６は、折り線５８で上部パネル６０に連結されている。上部パネル６０は、折り線６２で側部パネル６４に連結され、側部パネル６４は、折り線６６で底部フラップ６８に連結されている。底部フラップ６８は、折り線７０で仕切りパネル７２に連結され、仕切りパネル７２は、折り線７４で接着パネル７６に連結されている。接着パネル７６は、折り線７８で仕切りパネル８０に連結され、仕切りパネル８０は、折り線８２で接着パネル８４に連結されている。中央で弓状に曲がらないカートンを形成するために、仕切りパネル３２、４０、７２及び８０は一般的に、側部パネル１６、２４、５６及び６０より幅をわずかに狭くして形成されている。
【００１５】
カートンブランク１０の下方端部で、底端部フラップ１００が、折り線１０２で底部フラップ５２に連結されている。側端部フラップ１０４が、折り線１０６で側部パネル５６に連結されている。上端部フラップ１０８が、切り取り線９８及び／又は折り線１０７で上部パネル６０に連結されている。側端部フラップ１１０が、折り線１１２で側部パネル６４に連結されている。底端部フラップ１１４が、折り線１１６で底部フラップ６８に連結されている。仕切りパネル端部１１８に仕切りパネル端部切り欠き部１２２が設けられており、この切り欠き部１２２は、カートンを形成してディスペンサ８６を取り除いた後、製品を取り出しやすくするために、人の指が製品を掴むための空間を与えるであろう。接着パネル８４は、接着パネル端部１２０を有し、これはわずかに内向きに傾斜し、それにより、カートンを折り曲げやすくしている。
【００１６】
カートンブランク１０の上方端部で、接着パネル４４は、傾斜した接着パネル端部１２４を有する。接着パネル端部１２０及び１２４は、ブランク１０からカートンを作製する間のいずれのわずかな不整合も考慮して、端部フラップを折り曲げ／構成の困難を生じる可能性のある切り込み線から離れた位置に保持する。仕切りパネル３２、４０は、仕切りパネル端部１２６及び仕切りパネル端部切り欠き部１２８を有し、この切り欠き部１２８は、カートンの形成後に製品をディスペンサ８８から取り出しやすくする。図１に示されている仕切りパネルは、ディスペンサ又はディスペンサフラップ８６及び８８を切り取り線９１、９９に沿って切り取ることにより、ユーザの指又は他の物を挿入し、それによってディスペンサ８６及び８８を掴んで形成済みカートンから取り出すのに十分な空間を与える。
【００１７】
上方端部で、底端部フラップ１４４が、折り線１４６で底部フラップ２８に連結されている。側端部フラップ１４０が、折り線１４２で側部パネル２４に連結されている。上端部フラップ１３８が、切り取り線９９及び／又は折り線１３７で上部パネル２０に連結されている。側端部フラップ１３４が、折り線１３６の位置で側部パネル１６に連結されている。底端部フラップ１３０が、折り線１３２の位置で底部フラップ１２に連結されている。
【００１８】
図１は、ブランク１０のパネルに沿った、刻み目、ニック、切れ目及び折り目を単独で、又はさまざまな組み合わせで有する切り取り線５０を示している。図１に示されている特定の向き及び組み合わせは例示であって、決して制限的ではない。しかしながら、切り取り線形成について、一般的に幾つかのガイドラインに従う。たとえば、切り取り線５０は、指穴４８と各側部パネルとの交点との間が、指穴４８を使用してカートンの半割体を分離させやすくする刻み目及びニックの組み合わせから成る。切り取り線５０は、底部フラップを通る部分に、一種の「ヒンジ」を形成する刻み目及び折り目の組み合わせを有し、このヒンジは一般的に、切り取り線５０の上部パネル及び側部パネルを通る部分と同程度に容易に半割体を互いに分離させないようにすることができる。切り取り線５０は、仕切りパネル３２、４０、７２及び８０を通る部分に、刻み目及びニックの組み合わせを有し、この組み合わせは一般的に、底部フラップを通る刻み目及び折り目より容易に切り離され、それにより、最初にカートンを割る間、仕切りパネルをより容易に分離することができる。ディスペンサ８６及び８８は、刻み目及びニックのさまざまな組み合わせを有し、一般的に９０〜９９の切り取り線を分離しやすいように形成されるであろう。
【００１９】
ディスペンサ８６及び８８は、上部パネル２０、６０及び側部パネル１６、２４、５６、６４内で、切り取り線５０と反対の位置で端部フラップに隣接した各パネルの端部分に形成される。ディスペンサ８６及び８８を形成する際に、切り取り線９０及び９１はそれぞれの端部フラップから、形成済みのカートンから製品を取り出すことができるようにする距離だけ離れている。切り取り線９２、９３、９４、９５は、それぞれの側部パネル１６、２４、５６、６４内に形成されて、ディスペンサ８６及び８８をカートンから完全に取り外すことができるようにする。切り取り線９２、９３、９４及び９５は弓形に示されているが、傾斜又は矩形等の、製品がディスペンサに到達できるようにする任意の他の形状にすることができるであろう。一般的に切り取り線９８及び９９が、端部フラップと上部パネル２０及び６０が交差するそれぞれの折り線１３７及び１０７に形成されるが、カートン内に包装された製品によっては、折り線１３７及び１０７から一定距離を置くことができるであろう。仕切りパネルの分離によって形成されるギャップでカートンに指又は他の物を挿入できることによってディスペンサ８６又は８８の取り外しを容易にするために、上部パネル２０及び６０のほぼ中心に二等分切り取り線９６および９７が一般的に設けられている。ミシン目８７および８９が二等分切り取り線９６及び９７に平行に形成され、これらは、ディスペンサ８６及び８８の取り外しをさらに助けるためにユーザが掴むことができるフラップを形成する。ディスペンサ８６及び８８を取り除きやすくするために、８７、８９、９６及び９７によって形成されるこれらのフラップをカートンに押し込むか、それから外向きに引き出すかのいずれにすることもできる。これらのフラップは一般的に、仕切りパネル端部切り欠き部１１２及び１２８によって生じる空間によって受け取られ、これは、指又は他の物を挿入するための空間を与える。切り取り線９６及び９７は、小出し中の所望時にディスペンサ８６又は８８の一方側からだけの取り出しも可能にする。一般的には、ディスペンサ８６又は８８は連続的に完全に取り除かれ、それにより、製品をカートンから取り出すための開口を設けることができる。
【００２０】
カートンブランクは、ディスペンサ切り取り線の任意部分又は全体を端部フラップ折り線から間隔を置いた状態で形成されることができる。さらに、いかなる切り取り線の向きも考えられる。たとえば、図８及び図９に示されているように、切り取り線８９８及び８９９が、側部パネルとの交点の直前で切り取り線８５０の方向へ上向きに張り出し、それにより、それぞれ三角形の残留部分又はリップ８０９及び８３９を生じることができ、切り取り線８９８及び８９９の残りはそれぞれの折り線９０６及び９３６に沿って連続している。これらの残留部分８０９及び８３９は、たとえば上部パネルフラップを補強する追加的な構造支持を行い、これは、カートンの作製中の折り曲げに対してより強力であろう。残留部分８０９及び８３９は、製品の取り出し中に残留部分８０９及び８３９に引っ掛かるような矩形製品をカートンから小出しするためには必ずしも適していないが、円筒形物品が小出し前にカートンから転がり出ないように保持するための拘束部として使用されることができるであろう。残留部分８０９及び８３９は、袋、パウチ又は他の矩形底面でない製品を小出しするための所望の追加的な構造支持を行うこともできるであろう。
【００２１】
ブランク１０をカートンになるように形成するために、ブランクを折り曲げて糊付けし、それにより、２つの閉鎖端部を有するカートンにする。最初に、接着パネル３６、４４、７６、８４に糊等の接着剤、テープ又は他の接着剤を塗布する。仕切りパネル３２、４０、７２、８０を折り曲げ、それにより、底部フラップ１２、２８、５２、６８及び上部パネル２０及び６０を支持するための中央仕切りを形成する。図１の実施形態では、底部フラップ１２及び５２が底部フラップ２８及び６８よりわずかに広幅であり、それにより、ブランク１０をカートンになるように形成するとき、糊又は他の接着剤を受け取ることができるわずかな重合部分が与えられる。重合部分は所望通りに変更可能であるが、たとえば図１に示されている底部フラップ１２及び５２の重合部分は、約２．５４ｃｍ（約１インチ）である。この重合部分は、作製中にカートンを合わせて保持するのに十分な接着剤の塗布を考慮して、一般的に１．２７ｃｍ（１／２インチ）未満であってはならない。接着パネル３６及び７６を上部パネル２０及び６０に接着し、それにより、仕切りパネル３２、４０、７２、８０を有する中央仕切りを形成する。底部フラップ１２及び５２を接着フラップ４４及び８４に接着することによってブランク１０をカートンスリーブに形成してから、次に製品をカートンに詰め込み、両端部のさまざまな端部フラップを閉じる。上方端部では、第１側端部フラップ１３４及び１４０を横向きに折り曲げ、次に底端部フラップ１３０及び１４４を下向きに折り曲げ、上端部フラップ１３８を上向きに折り曲げる。下方端部では、側端部フラップ１０４及び１１０を横向きに折り曲げ、次に底端部フラップ１００及び１１４を下向きに折り曲げ、上端部フラップ１０８を上向きに折り曲げる。これらのさまざまな端部フラップは、糊及び／又は他の接着手段によって合わせて保持される。図１に示されたブランク１０は、与えられた縮尺に寸法的に制限されることはなく、例示のために示されているだけである。したがって、より大型の製品の保管、陳列及び小出しに対応するために、より幅広のパネルを設けることができ、またより小型の製品に対応するために、より小さい寸法にすることができる。
【００２２】
図２に示されているように、ブランク１０は、製品を内部に入れて輸送又は保管に備えたカートンになるように形成される。カートンを小売店又は他のエンドユーザに輸送又は他の方法で送達した後、図３は、指穴４８及び切り取り線５０を使用して半分に「割った」カートンを示す。図４に示されているように、カートンは次に、その密封端部を下にして、カートンの上部パネル６０を外側に向け、上部パネル２０を内側に向けて、たとえば小売店の棚の上に直立にセットされる。
【００２３】
図５は、カートンを陳列位置に示し、上部パネル６０の下方小出し部分のディスペンサ８６が引きちぎられ、それにより、製品が露出している。図５では、ディスペンサ８６の両側が切り取り線９０、９２、９４、９６及び９８に沿って取り除かれて廃棄される。ディスペンサ８６は、製品をカートンから取り出すのに十分な大きさの開口を生じる。図１〜図５に示されているように、ディスペンサ８６に二等分切り取り線９６及びミシン目８７が設けられ、それにより、指又は他の物によってディスペンサにアクセスできるようにし、それにより、ディスペンサ８６を取り外しやすくすることによって、ディスペンサ８６が開きやすくなる。弓形切り取り線９２及び９４がカートンの側部パネル５６及び６４に十分に回り込んで、人の指が小出し用に製品をより簡単に掴むことができるようにしている。
【００２４】
図３〜図７に示されているように、仕切りパネル３２、４０、７２及び８０によって形成されている中央仕切りは、小出ししやすいようにカートン内の製品を分離し、且つカートン用の追加的構造を与える。カートン内に多重列の製品がある場合、中央仕切りは、小出し中に取り出すために製品を掴むのを助けるための空隙を生じる。しかしながら、特にカートンが側部パネル内に、切り取り線９２及び９４によって生じるような空隙を設け、それにより、仕切りパネルによって生じる空隙がなくても、人の指が製品を掴むことができる場合、中央仕切りが必ずしも製品を掴むための空隙を生じる必要はない。さらに、中央仕切りをカートン内に設ける必要はなく、底部フラップ１２、２８、５２、６８上又はそれらの付近の接着剤でブランクをカートンになるように形成することができるであろう。
【００２５】
ディスペンサ８６及び８８は割ったカートンの下方端部に位置するので、下方の製品の取り出し時に、すべての上方の製品が重力によってカートンの底部の方に落下するであろう。この重力によって助けられた送りにより、カートンの半割体からすべての製品が完全に取り出されるまで、製品をディスペンサ８６又は８８を通して取り出すことができるであろう。
【００２６】
カートンの前側半割体から製品が完全に取り出されたら、小売業者はカートンを１８０度回転させ、それにより、後側半割体を小出し位置に置くことができ、また、前側半割体を後側半割体から取り除くかどうかを決定することができる。カートンの前側半割体は、底部フラップ１２、２８、５２及び６８を通って延在する切り取り線５０のヒンジ部で取り付けられたままにすることができ、均一で見栄えのよい陳列を維持するために棚の空隙充填材として使用されることができる。代替として、図６に示されているように、カートンの前側半割体から製品が完全に取り出されたら、空の半割体を切り取り線５０のヒンジ部で引きちぎって廃棄することができる。カートンの前側半割体をカートンの後側半割体から取り除くか、カートンの後側半割体に取り付けられたままにするかのいずれにしても、上部パネル２０を、棚の上で外側に面するように回転させる。ディスペンサ８６と同様に、ディスペンサ８８は切り取り線９１、９３、９５、９７、９９で取り除かれ、それにより、上部パネル２０の下方部分に開口を形成する。ディスペンサ８８によって形成される開口は、カートンのこの後側半割体から製品を取り出すのに十分な大きさである。取り出すために製品を掴むのを助けるための空隙を生じるために、中央仕切りを設けることができる。ディスペンサ８８によって形成される開口は後側半割体の下方端部に位置するので、製品の小出し中、後側半割体が空になるまで、すべての製品がカートンの底部の方へ重力で送られる。すべての製品が取り出されたら、カートンの後側半割体、又は前側半割体がそれから切り離されていない場合にはカートン全体を棚から取り除いて廃棄することができる。次に、新しいカートンが空のカートンに取って代わることができる。
【００２７】
図７に示されているように、カートンの後側半割体は、その下方端部にディスペンサを有し、それは製品の小出しのために取り除かれることができる。後側半割体のディスペンサは一般的に、図５に示されているように前側半割体からディスペンサを取り除く場合と同様にして取り除かれる。カートンの空になった前側半割体は、この時にはカートンの後側半割体から取り外されており、廃棄されることができる。
【００２８】
本発明の代替実施形態が、図８及び図１０に示されている。下方端部で、ブランク８１０は底部フラップ８１２を有し、底部フラップ８１２は、折り線８１４で側部パネル８１６に連結され、側部パネル８１６は、折り線８１８で上部パネル８２０に連結されている。上部パネル８２０は、折り線８２２で側部パネル８２４に連結され、側部パネル８２４は、折り線８２６で底部フラップ８２８に連結されている。本実施形態では、並列形カートン半割体内に単一列を成して製品が小出しされるので、仕切りパネル部分を備えていない。
【００２９】
上部パネル８２０及び８６０の間に指穴８４８が設けられ、切り取り線８５０に沿って配置されている。指穴４８に関して図１に詳述したように、指穴８４８は人の指又は他の物を受け取ることができ、それにより、カートン半割体を切り取り線８５０に沿って切り離し、カートンを輸送／保管形態から陳列／小出し形態に変えることができる。指穴８４８は円形に示されているが、それは、切り取り線８５０を切り離すことができる任意の他の形状であることができる。指穴８４８はまた、切り取り線８５０を切り離すために指穴８４８にアクセスできるように切り離す、又は打ち抜くことができるフラップ（図示せず）で覆われることもできる。
【００３０】
ブランク８１０の下方端部で、底部フラップ８５２が、折り線８５４で側部パネル８５６に連結され、側部パネル８５６は、折り線８５８で上部パネル８６０に連結されている。上部パネル８６０は、折り線８６２で側部パネル８６４に連結され、側部パネル８６４は、折り線８６６で底部フラップ８６８に連結されている。ブランク８１０をカートン形態に固定するために、底部フラップ８２８及び８６８は、接着剤を受け取るように構成されている。一般的に、底部フラップ８２８及び８６８は、接着剤を受け取って、底部フラップ８１２及び８５２の上に重なるか、その下側に付着するかのいずれでもよい。
【００３１】
底部フラップ８２８及び８６８は、それぞれ接着パネル端部９２４及び９２０を有し、これらはわずかに内向きに傾斜し、それにより、カートンを形成した後に折り曲げやすくしている。接着パネル端部９２０及び９２４は、ブランク８１０からカートンを作製する間のいずれのわずかな不整合も考慮し、それにより、端部フラップを切り込み線から離れた位置に保持する。
【００３２】
カートンブランク８１０の下方端部で、底端部フラップ９００が、折り線９０２で底部フラップ８５２に連結されている。側端部フラップ９０４が、切り取り線８９８及び／又は折り線９０６で側部パネル８５６に連結されている。上端部フラップ９０８が、折り線９０７で上部パネル８６０に連結されている。側端部フラップ９１０が、折り線９１２で側部パネル８６４に連結されている。
【００３３】
上方端部で、底端部フラップ９３０が、折り線９３２で底部フラップ８１２に連結されている。側端部フラップ９３４が、折り線９３６で、且つ／又は切り取り線８９９の位置で側部パネル８１６に連結されている。上端部フラップ９３８が、折り線９３７で上部パネル８２０に連結されている。側端部フラップ９４０が、折り線９４２の位置で側部パネル８２４に連結されている。
【００３４】
切り取り線８５０は、ブランク８１０に沿って刻み目、ニック、切れ目及び折り目、或いはそれらのさまざまな組み合わせで示されている。図示の特定の向き及び組み合わせは本実施形態において好適であるが、決して制限的ではない。図８に示されているように、切り取り線８５０は、指穴８４８を使用してカートンの半割体を分離させやすくする刻み目及びニックの組み合わせを有する。切り取り線８５０は、底部フラップを通る部分に一種の「ヒンジ」を形成する刻み目及び折り目の組み合わせを有し、このヒンジは一般的に、切り取り線８５０の上部パネル及び側部パネルを通る部分と同程度に容易に底部フラップを互いに分離させないようにすることができる。図１のブランク１０と異なって、図８に示されている指穴８４８は、上部パネル８２０及び８６０内にあり、ディスペンサは、主に側部パネル８１６及び８５６内にあって、上部パネル８２０及び８６０と底部フラップ８１２及び８５２とに重なっている。したがって、カートンが形成された後、指穴８４８を使用して切り取り線８５０の上部パネル及び側部パネルを通る部分に沿ってカートンを割り、それから底部フラップ８１２、８２８、８５２及び８６８に沿ってヒンジ連結することができる。
【００３５】
ディスペンサ８８６及び８８８は、側部パネル８１６、８５６、上部パネル８２０、８６０、及び底部フラップ８１２、８５２内で、切り取り線８５０と反対の位置で端部フラップに隣接した各パネルの端部分に形成される。ディスペンサ８８６及び８８８を形成する際に、切り取り線８９０及び８９１はそれぞれの端部フラップから、形成済みのカートンから製品を取り出すことができる距離だけ離れている。切り取り線８９０及び８９１は、所望の任意向きにすることができるが、図８には、小出し中に製品をカートンから取り出しやすくするために、ユーザの指又は他の物が製品に係合できるようにする凸部分を中央部分に備えるように示されている。切り取り線８９２及び８９３は、それぞれ底部フラップ８５２及び８１２内に形成され、切り取り線８９４及び８９５は、それぞれ上部パネル８６０及び８２０内に形成されている。切り取り線８９２、８９３、８９４及び８９５は弓形に示されているが、傾斜又は矩形等の、ディスペンサ８８６及び８８８を取り除くことができる任意の他の形状にすることができるであろう。切り取り線８９８及び８９９が、端部フラップが側部パネル８１６及び８５６と交差する折り線の一部に沿って形成される。ディスペンサ８８６及び８８８は通常、切り取り線８９２、８９３、８９４又は８９５の位置又はその付近で指又は他の物をカートンに挿入することによって取り除かれる。ディスペンサ８８６及び８８８を取り除くために、これらの切り取り線８９２、８９３、８９４又は８９５をカートンに押し込むか、又はそれから外向きに引き出すかのいずれにすることもできる。所望ならば、小出し用にディスペンサ８８６又は８８８のいずれか一方を個別に取り除くことができるが、一般的にはディスペンサ８８６又は８８８の両方を取り除き、それにより、並列形カートンの各半割体から製品を取り出すための小出し開口を設けるようにする。
【００３６】
ブランク８１０をカートンになるように形成するために、ブランクを折り曲げて糊付けし、それにより、２つの閉鎖端部を有するカートンにする。ここで、パネル８２８及び８６８に糊等の接着剤を塗布するか、テープ又は他の接着剤を設ける。パネル８２８及び８６８を底部フラップ８１２及び８５２に接着する。ブランク８１０をカートンスリーブに形成してから、次に製品をカートンに詰め込み、両端部のさまざまな端部フラップを閉じる。上方端部では、第１側端部フラップ９３４及び９４０を横向きに折り曲げ、次に底端部フラップ９３０を下向きに折り曲げ、上端部フラップ９３８を上向きに折り曲げる。下方端部では、側端部フラップ９０４及び９１０を横向きに折り曲げ、次に底端部フラップ９００を下向きに折り曲げ、上端部フラップ９０８を上向きに折り曲げる。これらのさまざまな端部フラップは、糊及び／又は他の接着手段によって合わせて保持される。図１に示されたブランク８１０は、与えられた縮尺に寸法的に制限されることはなく、例示のために示されているだけである。したがって、より大型の製品の保管、陳列及び小出しに対応するために、より幅広のパネルを設けることができ、又はより小型の製品に対応するために、より小さい寸法にすることができる。
【００３７】
図９Ａ〜図９Ｄは、割り開いて直立にセットし、製品を小出しするカートンになるように形成された図８の並列形ブランクを示す。図９Ｄでは、カートンの両側から小出しするために、ディスペンサ８８６及び８８８を取り除いて示している。
【００３８】
ブランク１０１０の別の代替実施形態が、図１０に示されている。下方端部で、ブランク１０１０は底部フラップ１０１２を有し、この底部フラップ１０１２は、折り線１０１４で側部パネル１０１６に連結され、側部パネル１０１６は、折り線１０１８で上部パネル１０２０に連結されている。上部パネル１０２０は、折り線１０２２で側部パネル１０２４に連結され、側部パネル１０２４は、折り線１０２６で底部フラップ１０２８に連結されている。本実施形態では、製品が単一列形式で小出しされるので、仕切りパネル部分が設けられていない。
【００３９】
上部パネル１０２０及び１０６０間に指穴１０４８が設けられ、切り取り線１０５０に沿って配置されている。指穴４８に関して図１に詳述したように、指穴１０４８は人の指又は他の物を受け取ることができ、それにより、カートン半割体を切り取り線１０５０で分離して、カートンを輸送／保管形態から陳列及び／又は小出し形態に変えることができる。指穴１０４８は円形に示されているが、それは、切り取り線１０５０を切り離すことができる任意の他の形状であることができる。指穴１０４８はまた、切り取り線１０５０を切り離すために指穴１０４８にアクセスできるように切り離す、又は打ち抜くことができるフラップ（図示せず）で覆われることもできる。
【００４０】
ブランク１０１０の下方端部で、底部フラップ１０５２が、折り線１０５４で側部パネル１０５６に連結され、側部パネル１０５６は、折り線１０５８で上部パネル１０６０に連結されている。上部パネル１０６０は、折り線１０６２で側部パネル１０６４に連結され、側部パネル１０６４は、折り線１０６６で底部フラップ１０６８に連結されている。カートンの作製中、ブランク１０１０を所定位置に固定するために、底部フラップ１０１２及び１０５２は、接着剤を受け取るように構成されている。一般的に、底部フラップ１０１２及び１０５２は、接着剤を受け取って、底部フラップ１０２８及び１０６８に重なるであろう。
【００４１】
カートンブランク１０１０の下端部で、側端部フラップ１１０４が、折り線１１０６で側部フラップ１０５６に連結されている。上端部フラップ１１０８が、切り取り線１０９８及び／又は折り線１１０７で上部パネル１０６０に連結されている。側端部フラップ１１１０が、折り線１１１２で側部パネル１０６４に連結されている。底端部フラップ１１１４が、折り線１１１６で底部フラップ１０６８に連結されている。
【００４２】
上端部で、側端部フラップ１１３４が、折り線１１３６で側部フラップ１０１６に連結されている。上端部フラップ１１３８が、折り線１１３７で、且つ／又は切り取り線１０９９の位置で上部パネル１０２０に連結されている。側端部フラップ１１４０が、折り線１１４２で側部パネル１０２４に連結されている。底端部フラップ１１４４が、折り線１１４６の位置で底部フラップ１０２８に連結されている。
【００４３】
切り取り線１０５０は、ブランク１０１０に沿って刻み目、ニック、切れ目、折り目、或いはそれらのさまざまな組み合わせで示されている。図示の特定の向き及び組み合わせは本実施形態において好適であるが、決して制限的ではない。図１０に示されているように、切り取り線１０５０は、指穴１０４８を使用してカートンの半割体を分離させやすくする刻み目及びニックの組み合わせを有する。そして、切り取り線１０５０は、底部フラップを通る部分に一種の「ヒンジ」を形成する刻み目及び折り目の組み合わせを有し、このヒンジは一般的に、切り取り線１０５０の上部パネル及び側部パネルを通る部分と同程度に容易に半割体を互いに分離させないようにすることができる。指穴１０４８は、上部パネル１０２０及び１０６０内にあり、ディスペンサ１０８６及び１０８８は、主に上部パネル１０２０及び１０６０にあって、側部パネル１０１６、１０２４、１０５６及び１０６０に重なっている。カートンが形成された後、指穴１０４８を使用して切り取り線１０５０の上部パネル及び側部パネルを通る部分に沿ってカートンを割ることができる。そのとき、カートンは底部フラップ１０１２、１０２８、１０５２及び１０６８に沿ってヒンジ連結されることができる。
【００４４】
ディスペンサ１０８６及び１０８８は、上部パネル１０２０、１０６０及び側部パネル１０１６、１０２４、１０５６、１０６４内で、切り取り線１０５０と反対の位置で端部フラップに隣接した各パネルの端部分に形成される。ディスペンサ１０８６及び１０８８を形成する際に、切り取り線１０９０及び１０９１はそれぞれの端部フラップから、製品をカートンから取り出すことができる距離だけ離れている。切り取り線１０９０及び１０９１は、所望の任意向きにすることができるが、図１０には、小出し中にカートンから取り出すために、ユーザの指又は他の物が製品に係合できるようにする凸部分を中央部分に備えるように示されている。切り取り線１０９２、１０９３、１０９４及び１０９５は、それぞれの側部パネル１０５６、１０１６、１０６４及び１０２４内に形成され、弓形に示されているが、傾斜又は矩形等の、ディスペンサ１０８６及び１０８８をカートンから取り除くができる任意の他の形状にすることができるであろう。切り取り線１０９８及び１０９９が、端部フラップと上部パネル１０２０及び１０６０とが交差する折り線の一部に沿って形成される。ディスペンサ１０８６及び１０８８は通常、指又は他の物を１０９２、１０９３、１０９４又は１０９５でカートン内に挿入することによって取り除かれる。ディスペンサ１０８６及び１０８８を取り除きやすくするために、これらの切り取り線１０９２、１０９３、１０９４又は１０９５をカートンに押し込むか、それから外向きに引き出すかのいずれにすることもできる。所望ならば、小出し用にディスペンサ１０８６又は１０８８のいずれか一方を個別に取り除くことができるが、一般的にはディスペンサ１０８６及び１０８８を取り除き、それにより、カートンの前向きの半割体から製品を取り出すための開口を設けることができる。また、図１０に示されているように、切り取り線１０９２、１０９３、１０９４又は１０９５は、作製時にカートンによって包囲されない打ち抜き穴１１９９を有することができる。これらの穴１１９９は、ディスペンサ１０８６及び１０８８を取り除きやすくするために、指又は他の物を受け取ることができる。
【００４５】
図８及び図９に示されている切り取り線と同様に、図１０のカートンブランクは、ディスペンサ切り取り線の任意部分又はその全体を端部フラップ折り線から間隔を置いた状態で形成されることができる。図１０において、切り取り線１０９８及び１０９９が、側部パネルとの交点の直前で切り取り線１０５０の方向へ上向きに張り出し、それにより、それぞれ三角形の残留部分又はリップ１００９及び１０３９を生じるようになっており、切り取り線１０９８及び１０９９の残りはそれぞれの折り線１１０７及び１１３７に沿って連続している。これらの残留部分１００９及び１０３９は、たとえば側部パネルフラップを補強する追加的な構造支持を行い、これは、カートンの作製中の折り曲げに対してより強力であろう。残留部分１００９及び１０３９は、製品の取り出し中に残留部分１００９及び１０３９に引っ掛かるような矩形製品をカートンから小出しするためには必ずしも適していないが、円筒形物品が小出し前にカートンから転がり出ないように保持するための拘束部として使用されることができるであろう。残留部分１００９及び１０３９は、袋、パウチ又は他の矩形底面でない製品を小出しするための所望の追加的な構造支持も行うことができるであろう。
【００４６】
本発明をその好適な形態において開示してきたが、添付の特許請求の範囲に記載されている本発明の精神及び範囲、及びその均等物から逸脱しない限り、本発明において多くの変更、追加及び削除を行ってもよいことは、当業者には明らかであろう。
【図面の簡単な説明】
【００４７】
【図１】本発明に従ったカートンを形成するブランクの平面図である。
【図２】輸送形態にある、製品を詰め込んだカートンの斜視図である。
【図３】切り取り線で半分に割ったカートンの斜視図である。
【図４】陳列形態にあるカートンの斜視図である。
【図５】小出し形態にある、前側下方のディスペンサを取り除いたカートンの斜視図である。
【図６】後側ディスペンサを前側ディスペンサから取り外した状態にあるカートンの斜視図である。
【図７】後側ディスペンサが小出し形態にある状態のカートンの斜視図である。
【図８】カートンを形成することができる並列形ブランクの代替実施形態を示す図である。
【図９Ａ】カートンになるように形成された、図８の並列形ブランクを示す図である。
【図９Ｂ】割り開いた状態にある、図８の並列形ブランクを示す図である。
【図９Ｃ】直立にセットした状態にある、図８の並列形ブランクを示す図である。
【図９Ｄ】製品を小出しする状態にある、図８の並列形ブランクを示す図である。
【図１０】ディスペンサを形成することができる単一列ブランクの別の実施形態を示す図である。
【図１】
2007536168.tif 000003
【図２】
2007536168.tif 000004
【図３】
2007536168.tif 000005
【図４】
2007536168.tif 000006
【図５】
2007536168.tif 000007
【図６】
2007536168.tif 000008
【図７】
2007536168.tif 000009
【図８】
2007536168.tif 000010
【図９Ａ】
2007536168.tif 000011
【図９Ｂ】
2007536168.tif 000012
【図９Ｃ】
2007536168.tif 000013
【図９Ｄ】
2007536168.tif 000014
【図１０】
2007536168.tif 000015
【国際調査報告】
2007536168.tif 000016
2007536168.tif 000017
2007536168.tif 000018
2007536168.tif 000019
2007536168.tif 000020